(57)【要約】【課題】浴槽に水栓を取り付けるにあたり、壁の裏側に広い配管スペースがなくても取り付けることができ、また、水栓の取り付け部分から湯や水が漏れて、浴槽の上縁面や壁の裏側まで回り込むのを極力回避する。【解決手段】浴槽１の上縁面３に、上縁面よりも上方へ突出しかつ内部が中空状とされた水栓取付部７が設けられる。水栓取付部は、上縁面よりも上方に位置しかつ上縁面と平行に設けられた上面部８と、上面部と上縁面とを接続する側面部９とを有する。側面部９に壁付用水栓１３Ａが取り付けられる。これにより、浴槽から湯が上縁面にあふれ出る場合でも、その湯が水栓の取り付け部分にかかることはなく、また、水栓取付部の裏側の空間を配管スペースとして利用できる。【選択図】図１
2008055028.tif 000002
【特許請求の範囲】
【請求項１】
浴槽の上縁面に、該上縁面よりも上方へ突出しかつ内部が中空状とされた水栓取付部が設けられ、
前記水栓取付部に水栓が取り付けられていることを特徴とする水栓取付構造。
【請求項２】
前記水栓取付部は、前記浴槽の上縁面と一体に成型されていることを特徴とする請求項１記載の水栓取付構造。
【請求項３】
前記水栓取付部は、前記上縁面よりも上方に位置しかつ該上縁面と平行に設けられた上面部と、該上面部と前記浴槽の上縁面とを接続する側面部とを有し、
前記側面部に壁付用水栓が取り付けられていることを特徴とする請求項１または２記載の水栓取付構造。
【請求項４】
前記水栓取付部は、前記上縁面よりも上方に位置しかつ該上縁面と平行に設けられた上面部と、該上面部と前記浴槽の上縁面とを接続する側面部とを有し、
前記上面部に台付水栓が取り付けられていることを特徴とする請求項１または２記載の水栓取付構造。
【請求項５】
前記水栓取付部は、その外形を直方体状に形成され、しかも、該水栓取付部は、洗い場に隣接する前記上縁面に配置されるとともに、浴槽と洗い場にまたがる浴室側壁に隣接しかつその長手方向が前記浴室側壁に沿うように配置されていることを特徴とする請求項１〜４のいずれか１項に記載の水栓取付構造。
【請求項６】
上縁面に、該上縁面よりも上方へ突出しかつ内部が中空状とされた水栓取付部が設けられたことを特徴とする浴槽。
【請求項７】
請求項１〜５のいずれか１項に記載の水栓取付構造を備えた浴槽装置。
【発明の詳細な説明】
【技術分野】
【０００１】
本発明は、浴槽に水栓を取り付けた水栓取付構造、浴槽および浴槽装置に関する。
【背景技術】
【０００２】
浴槽における水栓取付構造として、従来、さまざまな構造が提案されている。例えば、特許文献１には、浴槽とは別に洗い場に棚を設け、この棚に浴槽と洗い場とに湯や水を供給する水栓を取り付けた水栓取付構造が提案されている。
【特許文献１】特開平１１−１３１８３５号公報、図１、図４
【発明の開示】
【発明が解決しようとする課題】
【０００３】
前述した従来の水栓取付構造にあっては、水栓取付用の配管スペースを確保するため浴槽とは別に棚を設けており、棚を配置することによって浴室内が狭くなるという問題があった。
また、略水平面に沿って設けられた棚に水栓を取り付けており、棚に湯や水がかかったときに、水栓の取り付け部分のシール部から、棚の裏側に湯等が侵入するおそれがあるという問題もあった。
【０００４】
一方、水栓には、壁に取り付けて使用する壁付用水栓と、浴槽の上縁面や棚等の水平状板材上に取り付けて使用する台付水栓とがある。
壁付用水栓は、品揃えが豊富であるという利点がある反面、壁面の裏に給水や給湯のためのエルボを配置しなければならず、壁の裏側に幅広の配管スペースを必要とする欠点がある。
また、台付水栓は、浴槽の上縁面等の水平状板材へ取り付けたとき、水栓の取り付け部分（具体的にはナットによる螺子止め部分）が緩んだり、あるいは、水栓の取り付け部分のパッキンが劣化した場合に、水平状板材上を流れる湯や水が、水栓の取り付け部分から漏れて水平状板材の裏側まで回ってしまう欠点がある。
【０００５】
本発明は上記事情に鑑みてなされたもので、その目的とするところは、たとえ、壁付用水栓を使用する場合であっても、浴槽の裏側に広い配管スペースがなくても設置することができ、また、台付水栓を取り付ける場合であっても、水栓の取り付け部分から湯や水が漏れて、浴槽の上縁面や壁の裏側まで回り込むのを極力防止できる、水栓取付構造、浴槽、および浴槽装置を提供することを目的とする。
【課題を解決するための手段】
【０００６】
請求項１に係る水栓取付構造は、浴槽の上縁面に、該上縁面よりも上方へ突出しかつ内部が中空状とされた水栓取付部が設けられ、前記水栓取付部に水栓が取り付けられていることを特徴とする。
請求項１に係る水栓取付構造によれば、浴槽の上縁面よりも上方へ突出するように水栓取付部を取り付け、この水栓取付部に水栓を取り付けているので、例えば、浴槽から湯があふれる等によって浴槽の上縁面に湯が流れ出す場合でも、上縁面よりも上方へ突出している水栓取付部には湯がかかりにくい。このため、たとえ、水栓の取り付け部分が緩んだり水栓の取り付け部分のパッキンが劣化したりする場合であっても、この水栓の取り付け部分から湯等が漏れて浴槽の上縁面や壁の裏側まで回り込むことはない。
また、水栓取付部を上縁面よりも上方へ突出しかつ内部を中空状としているので、この中空部分を配管スペースとして利用することができる。
【０００７】
請求項２に係る水栓取付構造は、前記水栓取付部が、前記浴槽の上縁面と一体に成型されていることを特徴とする。
請求項２に係る水栓取付構造によれば、浴槽を例えばＦＲＰ等で成型するときに同時に水栓取付部を形成することができ、特別な工程を経ることなく、従来の浴槽成型方法と略同様な製造方法によって水栓取付部を形成することができる。
【０００８】
請求項３に係る水栓取付構造は、前記水栓取付部が、前記上縁面よりも上方に位置しかつ該上縁面と平行に設けられた上面部と、該上面部と前記浴槽の上縁面とを接続する側面部とを有し、前記側面部に壁付用水栓が取り付けられていることを特徴とする。
請求項３に係る水栓取付構造によれば、水栓取付部の側面部を利用して壁付用水栓を取り付けており、無理なく壁付用水栓を取り付けることができる。また、このとき、水栓取付部の裏側の中空部分を配管スペースとして利用することができ、幅広の設置スペースを必要とするエルボ等を用いた施工であっても、該施工を支障なく実施できる。また、品揃えが多く意匠的にも優れたものが多い壁付用水栓を、浴槽用の水栓として利用できる。
【０００９】
請求項４に係る水栓取付構造は、前記水栓取付部が、前記上縁面よりも上方に位置しかつ該上縁面と平行に設けられた上面部と、該上面部と前記浴槽の上縁面とを接続する側面部とを有し、前記上面部に台付水栓が取り付けられていることを特徴とする。
請求項４に係る水栓取付構造によれば、水栓取付部の上面部を利用して台付水栓を取り付けており、無理なく台付水栓を取り付けることができる。また、このとき、水栓取付部の上面部は、浴槽の上縁面よりも上方に位置するため、浴槽の上縁面を流れる湯や水が、水栓取付部にまでかかるにくく、このため、水栓取付部からの漏水を防止することができる。
【００１０】
請求項５に係る水栓取付構造は、前記水栓取付部が、その外形を直方体状に形成され、しかも、該水栓取付部が、洗い場に隣接する浴槽上縁面に配置されるとともに、浴槽と洗い場にまたがる浴室側壁に隣接しかつその長手方向が前記浴室側壁に沿うように配置されていることを特徴とする。
請求項５に係る水栓取付構造によれば、水栓取付部をその外形を直方体状に形成し、かつ、水栓取付部を、浴室側壁に隣接させるとともにその長手方向が浴室側壁に沿うように配置している。つまり、水栓取付部および該水栓取付部に取り付けられる水栓を、浴室側壁に沿わせて配置するため、水栓取付部等が浴室側壁から出っ張ることが無く、それら水栓取付部等が入浴者の邪魔になるのを極力避けることができる。
【００１１】
請求項６に係る浴槽は、上縁面に、該上縁面よりも上方へ突出しかつ内部が中空状とされた水栓取付部が設けられたことを特徴とする。
請求項６にかかる浴槽によれば、請求項１に係る水栓取付構造と同様な作用効果を奏する。
【００１２】
請求項７に係る浴槽装置は、請求項１〜５のいずれか１項に記載の水栓取付構造を備えることを特徴とする。
請求項７に係る浴槽装置は、請求項１〜５のいずれか１項に係る水栓取付構造と同様な作用効果を奏する。
【発明の効果】
【００１３】
本発明によれば、例え、浴槽から湯があふれる等によって浴槽の上縁面に湯が流れ出す場合でも、上縁面よりも上方へ突出している水栓取付部には湯がかかりにくく、このため、水栓の取り付け部分が緩んだり水栓の取り付け部分のパッキンが劣化したりする場合であっても、水栓の取り付け部分から水漏れが生じるのを抑えることができる。
また、水栓取付部を上縁面よりも上方へ突出しかつ内部を中空状としているので、この中空部分を配管スペースとして利用することができ、浴槽の裏側に狭い配管スペースしか確保できない場合でも、施工可能である。
【発明を実施するための最良の形態】
【００１４】
本発明の各実施の形態について図面に基づき説明する。
＜第１の実施の形態＞
図１、図２は本発明の第１の実施の形態を示しており、図１は、浴槽装置の一部の斜視図、図２は、図１のＩＩ―ＩＩ線に沿う断面図である。
図１において符号Ａは浴槽装置を示す。浴槽装置Ａは、浴槽１と、浴槽１に取り付けられた水栓１３および水栓１３に付属する給水用および給湯用の配管１４から構成されている。また、水栓１３の浴槽１への取り付け部分が水栓取付構造Ｂとなっている。
浴槽１は、強度的に強く、汚れが付きにくくしかも熱伝導率が低い材料であるＦＲＰによりつくられるのが好ましい。
【００１５】
浴槽１は、湯を貯める貯湯部２と、貯湯部２の上端から外方へ平面状に張り出す上縁面３と、上縁面３の外端から下方へ下がるエプロン部４と、浴室側壁１０に重ねられる側壁部５とを有する。なお、浴槽１には、隣接して洗い場（床）が設けられるが、この洗い場も浴槽と一体的に形成される場合があり、さらに、浴室の側壁も浴槽と一体的に形成される場合もある。このような場合、ここでいう浴槽は、槽部分と一体的に形成される洗い場や浴室の側壁も含むものとする。
【００１６】
浴槽の上縁面３には、内部が中空状とされた水栓取付部７が、上縁面３よりも上方へ突出するように、かつ、上縁面３と一体に成型されることにより形成されている。水栓取付部７は、外形が直方体状をなすように形成されている。水栓取付部７は、上縁面３よりも上方に位置しかつ上縁面３と平行に設けられた上面部８と、この上面部８と上縁面３とを接続する側面部９とを備える。
【００１７】
水栓取付部７は、洗い場に隣接する上縁面３に配置されるとともに、浴槽と洗い場にまたがる浴室側壁１０に隣接し、かつその長手方向が同浴室側壁１０に沿うように形成されている。より具体的には、水栓取付部７は、図１に示すように、洗い場に隣接する上縁面３と側壁部５とにまたがって、水栓取付部７の上面部が側壁部５の上面と面一になるように、かつ、その長さＬが水栓１３とほぼ同じ長さを持つように形成されている。また、水栓取付部７の巾Ｗは、水栓取付部７の裏側の中空部分７ａに配管１４に付随するエルボ１４ａが収納できるように設定されている。
【００１８】
そして、水栓取付部７の側面部９には壁付用水栓１３が、図２に示すように、給水用あるいは給湯用の配管１４との間で、側面部９を挟み込むように取り付けられている。
【００１９】
浴槽１の裏側には、給水用あるいは給湯用の配管１４が立ち上がっていて、この配管１４はエルボ１４ａを介して９０度曲げられ、その先端が前記水栓取付部７の側面部９に形成された孔を貫通して、壁付用水栓１３Ａに接続されている。エルボ１４ａは、その形状から、ある程度広い設置スペースを必要とするが、ここでは、水栓取付部７の裏側の中空部分７ａを利用して収納されている。
【００２０】
次に、上記構成の浴槽装置Ａおよび水栓取付構造Ｂの作用について説明する。
上述した浴槽装置Ａおよび水栓取付構造Ｂでは、浴槽の上縁面３よりも上方へ突出するように水栓取付部７を取り付け、この水栓取付部７に壁付用水栓１３Ａを取り付けているので、例えば、浴槽１から湯があふれる等によって浴槽１の上縁面３に湯が流れ出す場合でも、上縁面３よりも上方へ突出している水栓取付部７には湯がかかりにくい。このため、たとえ、水栓の取り付け部分が緩んだり水栓の取り付け部分のパッキンが劣化したりする場合であっても、この水栓取り付け部分から湯等が漏れて浴槽の上縁面３や側壁１０の裏側まで回り込むのを極力回避できる。
【００２１】
また、水栓取付部７を中空状としているので、水栓取付部７の裏側の中空部分７aを配管スペースとして利用することができる。このため、比較的広い設置スペースを必要とするエルボやＴ型接続部を用いる場合、これら幅広の配管要素を中空部分７ａに配置させることで、浴槽１の裏側に狭い配管スペースしか確保できない場合であっても、所望の配管接続を実現することができる。また、水栓取付部７に、比較的品揃えが多く意匠的にも優れたものが多い壁付用水栓を浴槽用として利用することができ、顧客のニーズに応えることができる。
【００２２】
また、水栓取付部７をその外形を直方体状に形成し、しかも、水栓取付部７を、浴室側壁１０に隣接させるとともにその長手方向が浴室側壁１０に沿うように配置している。このため、水栓取付部７およびこの水栓取付部７に取り付けられる水栓１３を、浴室側壁１０に沿わせて配置することができ、水栓取付部７等が浴室側壁１０から出っ張ることが少なく、それら水栓取付部７等が入浴者の邪魔になるのを極力避けることができる。
＜第２の実施の形態＞
【００２３】
図３、図４は本発明の第２の実施の形態を示しており、図１は、浴槽装置の一部の斜視図、図４は、図３のＩＶ―ＩＶ線に沿う断面図である。なお、説明の便宜上、前述した台１の実施の形態に用いた構成要素と同一の構成要素については同一符号を付してその説明を省略する。
この第２の実施の形態の特徴は、水栓取付部７に壁付用水栓に代わって台付水栓１３Ｂを取り付けた点である。
すなわち、図３に示すように、水栓取付部７の上面部８に、台付水栓１３Ｂを、給水用あるいは給湯用の配管１４との間で側面部９を挟み込む状態で取り付けている。なお、上面部８の高さは、前記第１の実施の形態よりも低くしている。これは、組み付け施工の面において、台付水栓１３Ｂは壁付用水栓１３Ａに比べて、上面部の高さをそれほど高くする必要が無いからである。
【００２４】
このような構成であっても、水栓取付部７の上面部８は、浴槽の上縁面３よりも一段高く位置するため、浴槽から溢れて上縁面３を流れる湯や水が、上面部８によりかかりにくくなっており、このため、たとえ、水栓の取り付け部分が緩んだり水栓の取り付け部分のパッキンが劣化したりする場合であっても、この水栓取り付け部分から湯等が漏れて浴槽の上縁面３や側壁１０の裏側まで回り込むのを極力回避できる。
なお、水栓取付部７は中空状とされていて、内部の中空部分７aを配管スペースとして利用できるのは、前述した第１の実施の形態と同様である。
【００２５】
なお、本発明は、前記実施の形態に限定されることなく、発明の趣旨を逸脱しない範囲において適宜設計変更可能である。
例えば、前記第１、第２の実施の形態では、外形を直方体状とした水栓取付部７を、浴室側壁１０に隣接し、かつ、その長手方向が浴室側壁１０に沿うように配置しているが、これに限られることなく、図５に示すように、水栓取付部７を、その長手方向が浴室側壁１０に対して直交するように配置してもよい。なお、この図では省略しているが、水栓取付部７の上面部８あるいは側面部９には、水栓取り付け用の孔が予め明けられている。
【００２６】
また、前記第１、第２の実施の形態では、水栓取付部７の長さＬを水栓１３の長さとほぼ同程度に設定したが、これに限られることなく、上縁面３と側壁部５にまたがって、側壁部５に沿ってそれと同程度長く設定しても良い。
また、前記実施の形態では、水栓としては、湯用と水用の２つの栓を有したものの例を挙げたが、これに限られることなく、サーモによって給湯温度を自動調整するものを用いる場合にも、本発明は勿論適用可能である。
【図面の簡単な説明】
【００２７】
【図１】本発明に係る浴槽装置の第１の実施の形態を示す一部の斜視図である。
【図２】図１のＩＩ―ＩＩ線に沿う断面図である。
【図３】本発明に係る浴槽装置の第２の実施の形態を示す一部の斜視図である。
【図４】図３のＩＶ―ＩＶ線に沿う断面図である。
【図５】本発明に係る水栓取付部の他の例を示す斜視図である。
【符号の説明】
【００２８】
Ａ  浴槽装置
Ｂ  水栓取付構造
１  浴槽  
３  上縁面
５  側壁部
７水栓取付部
７ａ  中空部分
８  上面部
９  側面部
１０  浴室側壁
１３  水栓
１３Ａ  壁付用水栓
１３Ｂ  台付水栓
１４  配管
１４ａ  エルボ
【図１】
2008055028.tif 000003
【図２】
2008055028.tif 000004
【図３】
2008055028.tif 000005
【図４】
2008055028.tif 000006
【図５】
2008055028.tif 000007